(57)【要約】【課題】同一機種で異なる大きさのパネルの製造方法において、樹脂部品の小型化を可能にし、コスト低減を図るパネル製造方法を提供する。【解決手段】化粧パネル（２）として第１パネル（４）を採用する場合には、該第１パネル（４）を所定の大きさの第１分割パネル（７）を２個組み合わせて製造し、前記化粧パネル（２）として前記第１パネル（４）よりも所定方向に大きい第２パネル（５）を採用する場合には、該第２パネル（５）を前記第１分割パネル（７）と第２分割パネル（８）を組み合わせて製造し、前記化粧パネル（２）として前記第２パネル（５）よりも前記所定方向にさらに大きい第３パネル（６）を採用する場合には、該第３パネル（６）を前記第２分割パネル（８）を２個組み合わせて製造する。【選択図】  図２
2014202436.tif 000002
【特許請求の範囲】
【請求項１】
天井に埋設される筐体（１）と、該筐体（１）の底面に設けられた化粧パネル（２）と、該化粧パネル（２）の一端に設けられ前記筐体（１）の内部に室内空気を吸込む吸込口（１０）と、前記化粧パネル（２）の他端に設けられ室内へ空気を吹き出す吹出口（９）とを有する室内機と、室外機とが冷媒配管により接続されて構成される空気調和装置の製造方法において、
前記化粧パネル（２）として第１パネル（４）を採用する場合には、該第１パネル（４）を所定の大きさの第１分割パネル（７）を２個組み合わせて製造し、
前記化粧パネル（２）として前記第１パネル（４）よりも所定方向に大きい第２パネル（５）を採用する場合には、該第２パネル（５）を前記第１分割パネル（７）と第２分割パネル（８）を組み合わせて製造し、
前記化粧パネル（２）として前記第２パネル（５）よりも前記所定方向にさらに大きい第３パネル（６）を採用する場合には、該第３パネル（６）を前記第２分割パネル（８）を２個組み合わせて製造することを特徴とする空気調和装置の製造方法。
【請求項２】
請求項１の空気調和装置の製造方法において、
前記所定方向は、前記第１パネル（４）と前記第２パネル（５）と前記第３パネル（６）とのそれぞれが有する前記吹出口（９）又は前記吸込口（１０）の長手方向であり、
それぞれのパネル（４、５、６）を、前記長手方向に対して直交する直交方向に分割することを特徴とする空気調和装置の製造方法。
【請求項３】
請求項２の空気調和装置の製造方法において、
前記化粧パネル（２）に前記第１パネル（４）、前記第２パネル（５）、又は前記第３パネル（６）の何れかより前記直交方向に大きくなる第４パネル（１１）を採用する場合に、
該第４パネル（１１）を、前記第１分割パネル（７）を前記直交方向に同じ大きさの第３分割パネル（１３）を２つ組み合わせて製造し、前記第２分割パネル８を、前記直交方向に同じ大きさの第４分割パネル（１４）を２つ組み合わせて製造することを特徴とする空気調和装置の製造方法。
【請求項４】
請求項３の空気調和装置の製造方法において、
前記化粧パネル（２）に前記第４パネル（１１）よりも前記直交方向に小さい第５パネル（１２）を採用する場合に、
該第５パネル（１２）を、前記第１分割パネル（７）を前記第３分割パネル（１３）と該第３分割パネル（１３）よりも前記直交方向に小さい第５分割パネル（１５）とを組み合わせて製造し、前記第２分割パネル（８）を前記第４分割パネル（１４）と該第４分割パネル（１４）よりも前記直交方向に小さい第６分割パネル（１６）とを組み合わせて製造することを特徴とする空気調和装置の製造方法。
【請求項５】
請求項１の空気調和装置の製造方法において、
前記化粧パネル（２）に前記第１パネル（４）と、前記第２パネル（５）と、前記第３パネル（６）の何れが採用された場合においても、前記それぞれのパネル（４、５、６）の左右に共通する左サイドパネル（１７）と右サイドパネル（１８）を組み合わされて構成し、前記左サイドパネル（１７）と前記右サイドパネル（１８）とが天井面に接するように構成されることを特徴とする空気調和装置の製造方法。
【発明の詳細な説明】
【技術分野】
【０００１】
本発明は、空気調和装置の製造方法について特に室内機の化粧パネルの製造方法に関する。
【背景技術】
【０００２】
本技術分野の背景技術として、特開２００７−２０５５８９号公報（特許文献１）がある。この公報には、課題として、長形、大形でもコストの上昇を抑え、見栄えの良い化粧パネルを備えた天井カセット形空気調和機を提供することと記載されている。また、その解決手段として、天井に吊り下げ設置される外枠部と、前記外枠部内に並設して収納される複数の空気調和機本体と、前記外枠部の下面に設けられる化粧パネル部とを備えた天井カセット形空気調和装機において、前記化粧パネル部は、それぞれが吸込口および吹出口を備えた複数の化粧パネルと、この複数の化粧パネルを連結する化粧パネル連結部材と、前記化粧パネル同士が隣接する部分を覆うカバー部材とで構成されたことを特徴とする天井カセット形空気調和機と記載されている。
【０００３】
このように化粧パネルは、樹脂成型品や金属板のプレス加工品が用いられているが、長形、大形のものを製造する場合は、金型費用が高額になり製品コストが上昇するという問題がある。また、製造時の不良率も上昇する傾向にあり、小さい部品の方が金型のコスト及び製造時のコストが低減する。
【先行技術文献】
【特許文献】
【０００４】
【特許文献１】特開２００７−２０５５８９号公報
【発明の概要】
【発明が解決しようとする課題】
【０００５】
前記特許文献１には、複数台の空気調和機を１つの筐体に収納してなる天井カセット形空気調和機の化粧パネルの構造に関して、複数の化粧パネルと、この複数の化粧パネルを連結する化粧パネル連結部材と、前記化粧パネル同士が隣接する部分を覆うカバー部材とで構成されることで、長形、大形でもコストの上昇を抑えている。
【０００６】
しかし、前記特許文献１では、複数台を並列に収納した際の長形化、大形化によるコスト上昇を抑えることは可能であるが、同一機種の製品長手方向の違いによるコスト上昇は考慮されていない。具体的には、空気調和装置の機種にもよるが、たとえば大容量、中容量、小容量と製品寸法が長手方向の違いで３種類ある場合がある。この場合に、それぞれでパネルを個別に製造するとコスト増加を招くことになることから、さらなるコスト低減が望ましい。
【０００７】
そこで本発明は、同一機種で異なる大きさのパネルの製造方法において、樹脂部品の小型化を可能にし、コスト低減を図るパネル製造方法を提供することを目的とする。
【課題を解決するための手段】
【０００８】
本願は上記課題を解決する手段を複数含んでいるが、その一例を挙げるならば、  
「天井に埋設される筐体（１）と、該筐体（１）の底面に設けられた化粧パネル（２）と、該化粧パネル（２）の一端に設けられ前記筐体（１）の内部に室内空気を吸込む吸込口（１０）と、前記化粧パネル（２）の他端に設けられ室内へ空気を吹き出す吹出口（９）とを有する室内機と、室外機とが冷媒配管により接続されて構成される空気調和装置の製造方法において、  
前記化粧パネル（２）として第１パネル（４）を採用する場合には、該第１パネル（４）を所定の大きさの第１分割パネル（７）を２個組み合わせて製造し、  
前記化粧パネル（２）として前記第１パネル（４）よりも所定方向に大きい第２パネル（５）を採用する場合には、該第２パネル（５）を前記第１分割パネル（７）と第２分割パネル（８）を組み合わせて製造し、  
前記化粧パネル（２）として前記第２パネル（５）よりも前記所定方向にさらに大きい第３パネル（６）を採用する場合には、該第３パネル（６）を前記第２分割パネル（８）を２個組み合わせて製造すること」を特徴とする。
【発明の効果】
【０００９】
本発明によれば、同一機種で異なる大きさのパネルの製造方法において、樹脂部品の小型化を可能にし、金型のコスト及び製造時のコストを低減することが可能となる。  
上記した以外の課題、構成及び効果は、以下の実施形態の説明により明らかにされる。
【図面の簡単な説明】
【００１０】
【図１】空気調和装置を構成する室内ユニット全体の斜視図の例である。
【図２】本実施例のパネルの正面図の例である。（ａ）は小容量、（ｂ）は中容量、（ｃ）は大容量を示す。
【図３】本実施例のパネルの正面図の例である。（ａ）は吹出口２箇所を有する機種のパネルであり、（ｂ）は奥行方向に小さい場合のパネルである。
【発明を実施するための形態】
【００１１】
以下、実施例を、図面を用いて説明する。
【実施例１】
【００１２】
図１は、空気調和装置の室内機の斜視図の例である。室内機は図示していない室外機と冷媒配管により接続されて冷凍サイクルを形成することで空気調和装置を構成する。室内機は筐体１と化粧パネル２から構成され、天井内に筐体１が配置され、化粧パネル２が天井面に接するように取り付けられる。
【００１３】
空気調和装置の室内機では、熱交換器の長手方向の寸法を変えることで、容量に応じた性能を発揮させる場合が多い。この場合には筐体１及び化粧パネル２も該長手方向のみが異なることになる。このとき長手方向に変化する部品以外の部品を共用化すれば、コスト低減及び開発の効率化にもなる。ここで、製品寸法が長手方向違いで３種類の化粧パネル２をそれぞれで個別に製造するとコスト増加を招くことになることから、さらなるコスト低減が望ましい。
【００１４】
化粧パネル２は、樹脂成型品や金属板のプレス加工品が用いられているが、長形、大形のものを製造する場合は、金型費用が高額になり製品コストが上昇するという問題がある。また、大型になるにつれ、製造時の不良率も上昇する傾向にあるという課題がある。以下においては、この課題を解決するための本実施例の構成について説明する。
【００１５】
図２は、本実施例の化粧パネル２の正面図の例である。（ａ）は小容量の化粧パネル、（ｂ）は中容量の化粧パネル、（ｃ）は大容量の化粧パネルを示す。本実施例の空気調和装置は天井に埋設される筐体１と、筐体１の底面に設けられた化粧パネル２と、該化粧パネル２の一端に設けられ筐体１の内部に室内空気を吸込む吸込口１０と、化粧パネル２の他端に設けられ室内へ空気を吹き出す吹出口９とを有する室内機と、室外機とが冷媒配管により接続されて構成される。
【００１６】
そして空気調和装置の室内機に製造方法において、（ａ）小容量の室内機を製造する場合には化粧パネル２として第１パネル４を採用する。この場合、第１パネル４を所定の大きさの第１分割パネル７を２個組み合わせて製造する。（ｂ）中容量の室内機を製造する場合には化粧パネル２として第２パネル５を採用する。つまり化粧パネル２として第１パネル４よりも所定方向に大きい第２パネル５を採用する場合には、第２パネル５を第１分割パネル７と第２分割パネル８を組み合わせて製造する。また（ｃ）大容量の室内機を製造する場合には化粧パネル２として第３パネル６を採用する。つまり化粧パネル２として第２パネル５よりも所定方向にさらに大きい第３パネル６を採用する場合には、第３パネル６を第２分割パネル８を２個組み合わせて製造する。
【００１７】
これにより、樹脂成形品の大きさを小さくし、コストを低減することが可能となる。また、２種類の分割パネルによって、３種のパネルを製造できるため、物量によるコスト低減も可能となる。
【００１８】
なお、上記した所定方向とは図２に示すように、第１パネル４と第２パネル５と第３パネル６とのそれぞれが有する吹出口９又は吸込口１０の長手方向であり、それぞれのパネル（４、５、６）を、長手方向に対して直交する直交方向に分割するものである。そして第１分割パネル７と第２分割パネル８との組み合わせを図２に示すように変えることで長手方向に異なる３種類のサイズの化粧パネル２を製造することが可能となる。
【００１９】
しかし、この方法では、吹出口が２箇所ある場合や上記長手方向と直交する直交方向の大きさが違う場合にはそのままでは適用できない。そこで以下で説明するように第１分割パネル７又は該第２分割パネル８をそれぞれで、さらに該長手方向に分割する。これにより、より少ない種類のパネルを用意することで製造コストを低減しながら化粧パネル２の製造が可能になる。
【００２０】
図３は、本実施例の化粧パネル２の正面図の例である。図３（ａ）は吹出口２箇所を有する機種の化粧パネル２であり、図３（ｂ）は奥行方向（図２の長手方向に直交する直交方向）に小さい場合の化粧パネル２である。  
図３（ａ）は吹出口を一方の端部と他方の端部とで２箇所に有する機種の化粧パネル２である。このとき化粧パネル２に第１パネル４、第２パネル５、又は第３パネル６の何れかより直交方向に大きくなる第４パネル１１を採用するものである。  
この場合、第４パネル１１を、第１分割パネル７を直交方向に同じ大きさの第３分割パネル１３を２つ組み合わせて製造し、第２分割パネル８を、直交方向に同じ大きさの第４分割パネル１４を２つ組み合わせて製造する。
【００２１】
図３（ｂ）は吹出口を一方の端部に有し、図３（ａ）よりも吹出口９の長手方向の直交方向に短くなった機種の化粧パネル２である。  
このように化粧パネル２に第４パネル１１よりも直交方向に小さい第５パネル１２を採用する場合には第５パネル１２を、第１分割パネル７を第３分割パネル１３と該第３分割パネル１３よりも直交方向に小さい第５分割パネル１５とを組み合わせて製造する。また第２分割パネル８を第４分割パネル１４と第４分割パネル１４よりも直交方向に小さい第６分割パネル１６とを組み合わせて製造する。これにより吹出口９を１つ有する図３（ｂ）の化粧パネル２のみならず、吹出口９を２つ有する図３（ａ）の化粧パネル２を分割パネル（７、１５、８、１６）の組合せを変えることによって製造することが可能となる。つまり分割パネルの共有化を図ることで奥行方向に小さいパネルの製造も行うことができ、前述のコスト低減のみならず、設計開発期間の短縮の効果を得ることが可能となる。
【００２２】
また、前述した長手方向にのみ製品寸法が変わる場合において、化粧パネル２に第１パネル４と、第２パネル５と、第３パネル６の何れが採用された場合においても、それぞれのパネル（４、５、６）の左右に共通する左サイドパネル１７と右サイドパネル１８を組み合わされて構成し、左サイドパネル１７と右サイドパネル１８とが天井面に接するように構成することで空気調和装置を製造することが望ましい。これにより、製品寸法に寄らず、サイドパネルを共有化することが可能となる。
【００２３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２４】
１  筐体
２  化粧パネル
４  第１パネル
５  第２パネル
６  第３パネル
７  第１分割パネル
８  第２分割パネル
９  吹出口
１０  吸込口（吸込グリル）
１１  第４パネル
１２  第５パネル
１３  第３分割パネル
１４  第４分割パネル
１５  第５分割パネル
１６  第６分割パネル
１７  左サイドパネル
１８  右サイドパネル
【図１】
2014202436.tif 000003
【図２】
2014202436.tif 000004
【図３】
2014202436.tif 000005